(57)【要約】【課題】  複数の表示記録媒体を積層した場合であっても、取り出しやすく、搬送時においても傷付きにくい表示記録媒体および画像書込み装置を提供する。【解決手段】  この表示記録媒体１００Ａは、薄型矩形状を有し、一対の基板１０１Ａ，１０１Ｂと、これらのそれぞれの内側に設けられたＩＴＯからなる一対の透明電極１０２Ａ，１０２Ｂと、透明電極１０２間にメモリ性を有する液晶からなる表示層１０３と、透明電極１０２Ｂの内側に設けられた、光吸収層１０４、光導電層１０５と、延在部１０６および透明電極１０２Ａに接続されるとともに同一平面上に形成された受電部１０７Ａ，１０７Ｂと、受電部１０７Ａ，１０７Ｂを露出させる開口１０８Ａ，１０８Ｂと、表示層１０３と光導電層１０５との間に設けられた隔離層１０９と、基板１０１Ｂ側に形成され、柔軟性を有するフェルトからなる低摩擦層１１０とを備えて構成されている。【選択図】    図２
2005352383.tif 000002
【特許請求の範囲】
【請求項１】
無電源で画像を表示可能な表示面を有する表示記録媒体において、
前記表示面およびこの反対側の面のうち少なくとも一方の面は、低摩擦層からなることを特徴とする表示記録媒体。
【請求項２】
前記低摩擦層は、前記一方の面の反対側の面の表面粗さと異なる表面粗さを有することを特徴とする請求項１記載の表示記録媒体。
【請求項３】
前記低摩擦層は、前記一方の面の反対側の面の摩擦係数よりも小さい摩擦係数を有することを特徴とする請求項１記載の表示記録媒体。
【請求項４】
前記低摩擦層は、その表面に所定の材料からなる複数の凸部を有することを特徴とする請求項１記載の表示記録媒体。
【請求項５】
前記低摩擦層は、その表面に所定の方向に伸びる所定の材料からなる複数の凸条を有することを特徴とする請求項１記載の表示記録媒体。
【請求項６】
前記低摩擦層は、その表面に複数の繊維を有することを特徴とする請求項１記載の表示記録媒体。
【請求項７】
前記複数の繊維は、他の表示記録媒体と接触することにより、その接触する前記他の表示記録媒体の面を清浄にすることを特徴とする請求項６記載の表示記録媒体。
【請求項８】
前記低摩擦層は、所定の方向とこの逆の方向とで異なる摩擦係数を有することを特徴とする請求項１記載の表示記録媒体。
【請求項９】
前記低摩擦層は、うろこ状に形成されていることを特徴とする請求項８記載の表示記録媒体。
【請求項１０】
前記表示面およびこの反対側の面は、それぞれ前記低摩擦層からなることを特徴とする請求項１記載の表示記録媒体。
【請求項１１】
無電源で画像を表示可能な表示面を有する表示記録媒体において、
前記表示面およびこの反対側の面は、異なる摩擦係数を有することを特徴とする表示記録媒体。
【請求項１２】
無電源で画像を表示可能な表示面を有する複数の表示記録媒体を積層して収納する収納部と、
前記収納部に収納された前記複数の表示記録媒体を１枚ずつ書込み位置に供給する供給部と、
前記書込み位置に供給された前記表示記録媒体に画像を書き込む書込み部とを備え、
前記表示記録媒体は、前記表示面およびこの反対側の面のうち少なくとも一方の面は、低摩擦層からなることを特徴とする画像書込み装置。
【発明の詳細な説明】
【技術分野】
【０００１】
本発明は、シート状を有し、画像の書換えが可能で、無電源で画像を表示可能な表示記録媒体および画像書込み装置に関し、特に、複数の表示記録媒体を積層した場合であっても、取り出しやすく、搬送時においても傷付きにくい表示記録媒体および画像書込み装置に関する。
【背景技術】
【０００２】
近年、紙媒体や電子ディスプレイデバイスの他に、電子ディスプレイの長所と紙の長所を併せ持った電子ペーパーあるいはデジタルペーパーと称せられる表示記録媒体が注目されている（例えば、特許文献１参照。）。
【０００３】
特許文献１に記載された表示記録媒体は、表面がＰＥＴ（ポリエチレンテレフタレート）フィルムからなる一対の基板と、一対の基板間に光導電層およびメモリ性を有する液晶層を配置して構成されている。この表示記録媒体は、画像光の照射と電圧に印加によって画像データを書き込むようになっている。画像の書込み後は、画像の表示を維持するエネルギー印加は不要である。従って、画像の書込み後に画像書込み装置から表示記録媒体のみを切り離し、紙媒体のように手軽に持ち運んだり、重ねたり、並べたり、手に持って情報を読むことができる。
【特許文献１】特開２００１−３０１２３３号公報（［００３９］，図３）
【発明の開示】
【発明が解決しようとする課題】
【０００４】
しかし、従来の表示記録媒体によると、プリンタ型の画像書込み装置内に搬送するための給紙トレイに複数枚の表示記録媒体を積層して収納した場合、積層された表示記録媒体同士が平滑面で密着して、給紙トレイの最下層にある１枚だけを画像書込み装置内に搬送するために取り出すことが困難となり、重送などが発生しやすくなるという問題があった。
【０００５】
また、複数の表示記録媒体を積層した状態から１つの表示記録媒体を取り出して搬送する際に、お互いの摩擦によって表示記録媒体の表面に傷がついたり、取り出した後の表示記録媒体が画像書込み装置の搬送路や露光部等と搬送中に接触することにより、表示記録媒体の表面に傷が付くといった問題があった。
【０００６】
従って、本発明の目的は、複数の表示記録媒体を積層した場合であっても、取り出しやすく、搬送時においても傷付きにくい表示記録媒体および画像書込み装置を提供することにある。
【課題を解決するための手段】
【０００７】
本発明は、上記目的を達成するため、無電源で画像を表示可能な表示面を有する表示記録媒体において、前記表示面およびこの反対側の面のうち少なくとも一方の面は、低摩擦層からなることを特徴とする表示記録媒体を提供する。
【０００８】
この構成によれば、複数の表示記録媒体を積層した場合に、接触する２つの表示記録媒体のうち少なくとも一方の面が低摩擦層であるため、１つの表示記録媒体のみを取り出し易くなる。また、搬送時においても、低摩擦層を有するので、滑りやすくなり、表示記録媒体が傷付きにくなる。「低摩擦層」とは、摩擦係数あるいは摩擦力が低くなるような何らかの処理が施された層、あるいは材料選定がされた層をいう。
【０００９】
本発明は、上記目的を達成するため、無電源で画像を表示可能な表示面を有する表示記録媒体において、前記表示面およびこの反対側の面は異なる摩擦係数を有することを特徴とする表示記録媒体を提供する。
【００１０】
本発明は、上記目的を達成するため、無電源で画像を表示可能な表示面を有する複数の表示記録媒体を積層して収納する収納部と、前記収納部に収納された前記複数の表示記録媒体を１枚ずつ書込み位置に供給する供給部と、前記書込み位置に供給された前記表示記録媒体に画像を書き込む書込み部とを備え、前記表示記録媒体は、前記表示面およびこの反対側の面のうち少なくとも一方の面は、低摩擦層からなることを特徴とする画像書込み装置を提供する。
【発明の効果】
【００１１】
本発明によれば、表示面およびこの反対面のうち少なくとも一方の面を低摩擦層、あるいは低摩擦係数を有するものとしたため、例えば、上部に積層した表示記録媒体との間の摩擦力が低減するので、表示記録媒体を１つずつ取り出しやすくなる。また、搬送時においても、滑りやすくなり、表示記録媒体が傷付きにくくなる。
【発明を実施するための最良の形態】
【００１２】
［第１の実施の形態］
図１は、本発明の第１の実施の形態に係る画像書込み装置を示す。この画像書込み装置１は、薄型矩形状をなし書換え可能な表示記録媒体１００Ａを収納し、表示記録媒体１００Ａを１枚ずつ送り出す供給部２と、上部筐体３に設けられ、供給部２から送り出された表示記録媒体１００Ａに画像光を照射する露光部３０と、同じく上部筐体３に設けられ、表示記録媒体１００Ａに電圧を印加する電圧印加部３１と、表示記録媒体１００Ａを下部筐体４の上面４ａに沿って搬送する搬送ローラ４０と、画像書込みを終了した表示記録媒体１００Ａが排出される排出トレイ５と、この装置１の各部を制御する図示しない制御部とを備えて構成されている。
【００１３】
供給部２は、複数の表示記録媒体１００Ａを積層して収納する給紙トレイ２３と、給紙トレイ２３の下面側に配設され、駆動ローラ２０と従動ローラ２１間に巻回した搬送ベルト２２とを有している。
【００１４】
露光部３０は、表示記録媒体１００Ａの画像表示領域と同等の大きさを有し、画像の書込みパターン光を画像表示領域に照射するＬＣＤ（液晶ディスプレイ）パネルと、このＬＣＤパネルの背面からバックライト光を照射するバックライトとを備える。バックライトには、ＬＥＤ（発光ダイオード）、冷陰極管、ＥＬ（エレクトロルミネッセンス）等を用いることができる。
【００１５】
低摩擦層１１０は、柔軟性を有し、低摩擦性の繊維状材質、例えば、フェルトからなる。また、低摩擦層１１０は、表面１００ａの摩擦係数よりも小さい摩擦係数を有している。
【００１６】
図２は、画像書込み装置により画像を書き込まれる表示記録媒体１００Ａを示す。この表示記録媒体は、薄型矩形状を有し、対向配置されたＰＥＴ（ポリエチレンテレフタレート）フィルムからなる一対の基板１０１Ａ，１０１Ｂと、これらの内側に設けられたＩＴＯ（インジウム錫酸化物）からなる一対の透明電極１０２Ａ，１０２Ｂと、透明電極１０２Ｂの内側に設けられ、印加電圧に応じて反射率または透過率が変化するメモリ性を有する液晶、例えば、コレステリック液晶からなる表示層１０３と、透明電極１０２Ｂの内側に設けられた光吸収層１０４と、光吸収層１０４の内側に設けられ、書込みパターン光１５０の照射によって抵抗値が小さくなる光導電層１０５と、透明電極１０２Ｂに一端が接続された延在部１０６と、延在部１０６および透明電極１０２Ａに接続されるとともに同一平面上に形成され、開口１０８Ａ，１０８Ｂから露出する受電部１０７Ａ，１０７Ｂと、表示層１０３と光導電層１０５との間に設けられた隔離層１０９と、基板１０１Ｂ側に形成された低摩擦層１１０とを備えて構成されている。
【００１７】
光導電層１０５は、２つの電荷発生層１０５ａ，１０５ｃと、これらの間に設けられた電荷輸送層１０５ｂとを備えて構成されている。光導電層１０５を電荷輸送層１０５ｂの両側に電荷発生層１０５ａ，１０５ｃを積層した構成とすることにより、表示層１０３への交流電圧の印加が可能となり、表示層１０３の劣化を抑えることができ駆動電圧の低電圧化、表示記録媒体１００Ａの高寿命化を実現することができる。
【００１８】
（画像書込み装置の動作）
次に、画像書込み装置１の動作について説明する。まず、オペレータは、図示しないスイッチを押下するか、もしくは図示しない制御部からの制御信号を画像書込み装置１に送信して、駆動ローラ２０を駆動させて搬送ベルト２２を移動させる。搬送ベルト２２の移動に伴って、給紙トレイ２３の下面２３ａに接している表示記録媒体１００Ａ１は、図１で最初の搬送ローラ４０に接触するまで左方に移動させられる。そして、表示記録媒体１００Ａ１は、搬送ローラ４０の回転によりさらに左方の画像の書込位置まで移動させられ、図示しない制御部に位置検出信号が送られることにより停止する。ここで、引き出される表示記録媒体１００Ａ１の表面１００ａは、その直上の表示記録媒体１００Ａ２の低摩擦層１１０に接触するため、表示記録媒体１００Ａ２を一緒に引き出すことなく、表示記録媒体１００Ａ１のみを引き出すことができる。
【００１９】
画像の書込位置まで移動させられた表示記録媒体１００Ａは、図示しない制御部からの制御信号により露光部３０により書込み動作が行われる。すなわち、書込みパターン光１５０は、基板１０１Ａ、透明電極１０２Ａ、表示層１０３および隔離層１０９を通して光導電層１０５に照射される。これに並行して電圧印加部３１から一対の透明電極１０２Ａ，１０２Ｂ間にパルス電圧が印加される。光導電層１０５は、書込みパターン光１５０の照射によって抵抗値が小さくなり、それにより光導電層１０５とのインピーダンス比で決まる表示層１０３の分圧が増加し、一定以上の閾値を越えた電圧が電圧印加部３１により印加された後、表示層１０３における光反射率が大きい状態で保持される。画像の書込みが終了した表示記録媒体１００Ａは、制御部からの制御信号により露光部３０から移動させられ、搬送ローラ３２，４０により排紙トレイ５に排出される。この排出に伴う排出信号により、制御部は、次の表示記録媒体１００Ａを露光部３０に移動して、画像の書込み、表示記録媒体１００Ａの排出を行う。制御部は、この表示記録媒体１００Ａへの画像の書込み、表示記録媒体１００Ａの排出を制御信号に従って自動的に連続して行う。
【００２０】
画像が書き込まれた表示記録媒体１００Ａを表面１００ａから見た場合、書込みパターン光１５０が照射された領域は、照明光１５１を受けて表示層１０３で反射し、表示光１５２として白く見える。逆に、書込みパターン光１５０が照射されていない領域は、光導電層１０５の抵抗値が大きくなり、表示層１０３には閾値を越えない電圧が印加された後、表示層１０３は光を透過する状態で保持される。この表示層１０３を通過した光は、光吸収層１０４で吸収されるため、人間の目Ｅの視線１５３を通して表示記録媒体１００Ａの表面側１００ａから見ると、書込みパターン光１５０が照射されていない領域は、黒く見える。
【００２１】
（第１の実施の形態の効果）
この第１の実施の形態によれば、以下の効果が得られる。
（イ）複数の表示記録媒体１００Ａを低摩擦層１１０を下面にして積層した場合、給紙トレイ２３の最下層に存在する表示記録媒体１００Ａ１の表面１００ａは、その上に配置された表示記録媒体１００Ａ２の低摩擦層１１０に接触するので、取り出そうとする表示記録媒体１００Ａ１の上方に存在する表示記録媒体１００Ａ２を引き連れず最下層の表示記録媒体１００Ａ１のみを取り出すことができる。
（ロ）低摩擦層１１０が、柔軟性を有するフェルトからなるため、表示記録媒体１００Ａ同士や表示記録媒体１００Ａと搬送路等とが接触しても表示記録媒体１００Ａが傷付きにくくなる。また、低摩擦層１１０が形成されているため、搬送時には、滑りやすいので、搬送路等と表示記録媒体１００Ａとの摩擦により傷付きにくくなる。
（ハ）表示記録媒体１００Ａの表面１００ａは、これに接する他の表示記録媒体１００Ａのフェルトからなる低摩擦層１１０によりホコリ等が除去されるので、清浄になる。
【００２２】
［第２の実施の形態］
図３は、本発明の第２の実施の形態に係る表示記録媒体を示す図であり、（ａ）は側面図、（ｂ）は底面図である。この表示記録媒体１００Ａは、裏面１００ｂに比較的摩擦係数の小さいテフロン（登録商標）等の材質からなる複数の突部１１１が形成されている。これにより、下部筐体４の上面４ａや他の積層している表示記録媒体１００Ａとの摩擦力を低減することが可能となる。
【００２３】
［第３の実施の形態］
図４は、本発明の第３の実施の形態に係る表示記録媒体を示す図であり、（ａ）は斜視図、（ｂ）は底面図である。この表示記録媒体１００Ａは、裏面１００ｂに搬送方向に沿って比較的摩擦係数の小さいテフロン（登録商標）等の材質からなる複数の突条１１２が形成されている。これにより、下部筐体４の上面４ａや他の積層している表示記録媒体１００Ａとの摩擦力を低減することが可能となる。
【００２４】
［第４の実施の形態］
図５は、本発明の第４の実施の形態に係る表示記録媒体を示し、（ａ）は側面図、（ｂ）は底面図である。この表示記録媒体１００Ａは、裏面１００ｂに複数の鱗状部１１３が形成されている。複数の鱗状部１１３は、図５（ａ）において矢印に示す表示記録媒体１００Ａの搬送方向の摩擦力が小となるように構成され、その逆方向の摩擦力が大となるように構成されている。この構成によれば、搬送ローラ４０および搬送ベルト２２によって図５（ａ）の矢印方向にスリップ等を生じることなく、搬送することができる。また、停止したとき、慣性力で図５（ａ）の矢印方向にスリップしやすく、鱗状部１１３の損傷を少なくすることができる。この実施の形態の場合、また、積層された表示記録媒体１００Ａは、最上層から順に搬送ローラあるいは搬送ベルトにより取り出すことが容易にできる。
【００２５】
［第５の実施の形態］
図６は、本発明の第５の実施の形態に係る表示記録媒体を示す側面図である。この表示記録媒体１００Ｂは、サーマルヘッド１２０により画像が書き込まれる感熱型表示記録媒体であり、裏面１００ｂに低摩擦層１１０が形成されている。感熱型表示記録媒体として、ロイコ染料の発消色を制御したり、高分子中に低分子を分散し、透過散乱を制御することで画像を表示するものを用いることができる。この構成によれば、裏面１００ｂは、摩擦力が小となるように構成されているため、重送を防ぐことができるとともに、摩擦により傷付くことなく搬送することができる。
【００２６】
［第６の実施の形態］
図７は、本発明の第６の実施の形態に係る表示記録媒体を示す側面図である。この表示記録媒体１００Ｃは、イオン照射ヘッド１２１により書き込まれるイオン照射型表示記録媒体であり、裏面１００ｂに低摩擦層１１０が形成されている。イオン照射型表示記録媒体として、ポリマ分散型ゲストホスト液晶、マイクロカプセル液晶などの液晶分子の配向を用いることができる。この構成によれば、裏面１００ｂは、摩擦力が小となるように構成されているため、重送を防ぐことができるとともに、摩擦により傷付くことなく搬送することができる。
【００２７】
［変形例］
なお、本発明は、上記各実施の形態に限定されず、その要旨を変更しない範囲内で種々な変形が可能である。例えば、各実施の形態間の構成要素の組合せは任意に行うことができる。
【００２８】
また、ＬＣＤパネルの代りに、ＣＲＴディスプレイ、プラズマディスプレイ等の表示装置と結像光学系を組み合わせた投影装置により画像光を表示記録媒体の書込み領域に結像させてもよい
【００２９】
また、表示記録媒体の摩擦係数を低減するには、表面粗さを変えたり、用いる材料を摩擦係数の小なる材質のものに代えることにより行なってもよい。
【００３０】
また、表示記録媒体は、上記以外に、電気泳動素子、帯電粒子回転素子、トナーディスプレイなど帯電粒子の移動を制御する素子などを表示層とし、薄い絶縁基板やアイランド電極を有する基板で挟み込んだ構造のものを用いることができる。すなわち、少なくとも紙のような形態を有し、表示情報の書換えができるとともに無電源で表示情報を保持することのできる表示記録媒体であり、プリンタ型の書込み装置に挿入して画像の書換えを行うタイプの表示記録媒体であるならば、上記の実施の形態に係る表示記録媒体に適用することができる。
【図面の簡単な説明】
【００３１】
【図１】本発明の第１の実施の形態に係る画像書込み装置を示す断面図である。
【図２】本発明の第１の実施の形態に係る表示記録媒体を示す断面図である。
【図３】図３は、本発明の第２の実施の形態に係る表示記録媒体を示す図であり、（ａ）は側面図、（ｂ）は底面図である。
【図４】本発明の第３の実施の形態に係る表示記録媒体を示す図であり、（ａ）は斜視図、（ｂ）は底面図である。
【図５】本発明の第４の実施の形態に係る表示記録媒体を示し、（ａ）は側面図、（ｂ）は底面図である。
【図６】本発明の第５の実施の形態に係る表示記録媒体を示す側面図である。
【図７】本発明の第６の実施の形態に係る表示記録媒体を示す側面図である。
【符号の説明】
【００３２】
１  画像書込み装置
２  供給部
３  上部筐体
４  下部筐体
４ａ  下部筐体上面
５  排紙トレイ
２０  駆動ローラ
２１  従動ローラ
２２  搬送ベルト
２３  給紙トレイ
２３ａ  下面
３０  露光部
３１  電圧印加部
４０  搬送ローラ
９０  バックライト
１００Ａ〜１００Ｃ  表示記録媒体
１００ａ  表面
１００ｂ  裏面
１０１Ａ，１０１Ｂ  基板
１０２Ａ，１０２Ｂ  透明電極
１０３  表示層
１０４  光吸収層
１０５  光導電層
１０５ａ，１０５ｃ  電荷発生層
１０５ｂ  電荷輸送層
１０６  延在部
１０７Ａ，１０７Ｂ  受電部
１０８Ａ，１０８Ｂ  開口
１０９  隔離層
１１０  低摩擦層
１１１Ａ〜１１１Ｃ  表示記録層
１１１  突部
１１１ｂ  裏面
１１２  突条
１１３  鱗状部
１２０  サーマルヘッド
１２１  イオン照射ヘッド
１５０  パターン光
１５１  照明光
１５２  表示光
１５３  視線
【図１】
2005352383.tif 000003
【図２】
2005352383.tif 000004
【図３】
2005352383.tif 000005
【図４】
2005352383.tif 000006
【図５】
2005352383.tif 000007
【図６】
2005352383.tif 000008
【図７】
2005352383.tif 000009